(57)【要約】【課題】  電子機器に内蔵される電子機器側接続端子と外部接続端子との電気的な接続を安定にすることができるシャッタ機構を提供する。【解決手段】  再生装置２０のリセクタブルコネクタ２７を外部空間から遮蔽する遮蔽位置と、リセクタブルコネクタを前記外部空間に露出する露出位置とにわたって角変位可能に設けられるシャッタ部材２８と、シャッタ部材を露出位置から遮蔽位置に向かう方向に角変位力を付勢して、シャッタ部材を遮蔽位置に配置させるばね部材２９とを含む。充電装置４０のプラグコネクタ４２がシャッタ部材に当接して、プラグコネクタが再生装置内に向かう挿入方向Ｂに変位されると、ばね部材の角変位力に抗する逆方向の力がプラグコネクタから遮蔽位置に配置されているシャッタ部材に付勢されて、シャッタ部材が遮蔽位置から露出位置に角変位して、プラグコネクタが再生装置内部に挿入されてリセクタブルコネクタに電気的に接続される。【選択図】      図８
2005302496.tif 000002
【特許請求の範囲】
【請求項１】
電子機器に内蔵される電子機器側接続端子を、電子機器の外部空間に対して露出および遮蔽するシャッタ機構であって、
電子機器側接続端子を前記外部空間から遮蔽する遮蔽位置と、電子機器側接続端子を前記外部空間に露出する露出位置とにわたって電子機器に角変位可能に設けられるシャッタ部材と、
シャッタ部材を露出位置から遮蔽位置に向かう方向に角変位力を付勢して、シャッタ部材を遮蔽位置に配置させるばね部材とを含み、
電子機器とは別体に設けられ電子機器側接続端子に電気的に接続可能な外部接続端子がシャッタ部材に当接して、外部接続端子が電子機器内に向かう予め定める挿入方向に変位されると、ばね部材の角変位力に抗する逆方向の力が外部接続端子から遮蔽位置に配置されているシャッタ部材に付勢されて、シャッタ部材が遮蔽位置から露出位置に角変位して、外部接続端子が電子機器内部に挿入されて電子機器側接続端子に電気的に接続されることを特徴とするシャッタ機構。
【請求項２】
前記シャッタ部材の外部接続端子に当接する部分は、前記挿入方向に垂直な仮想平面に対して傾斜していることを特徴とする請求項１記載のシャッタ機構。
【発明の詳細な説明】
【技術分野】
【０００１】
本発明は、ミニディスクなどの記録媒体を再生する再生装置などの電子機器に設けられるシャッタ機構に関する。
【背景技術】
【０００２】
たとえばミニディスクなどの記録媒体を再生する記録媒体再生装置に内蔵される充電池などの２次電池を充電するための充電台の典型的な従来技術が特許文献１に記載されている。特許文献１記載の充電台は、ポータブルミニディスクプレーヤを容易に着脱でき、所定の保持位置からのポータブルミニディスクプレーヤの位置のずれを防止して、安定した接続状態を維持することができる。充電台の充電端子と電気的に接続可能なポータブルミニディスクプレーヤに設けられる端子は、外部空間に常に露出しており、埃などが付着しやすく、前記端子に埃が付着した状態で充電台の充電端子に接続しても、電気的に確実に接続されず、充電池を充電することができない危険性がある。したがってポータブルミニディスクプレーヤなどの電子機器を利用しているときには、充電器に接続される電子機器側端子が外部空間に露出していないほうが望ましい。
【０００３】
図１４は、端子が外部空間に露出していない再生装置１を示す斜視図である。図１５は、再生装置１の一部を分解して示す斜視図である。再生装置１は、たとえばミニディスクなどの記録媒体を再生する電子機器であり、記録媒体を再生する再生手段および再生手段を駆動するための電源である充電池（ともに図示せず）を含む。再生装置１は、再生手段を構成する制御回路が搭載される再生装置側基板２、ならびに筐体を構成する底キャビネット３およびフレーム４を含む。再生装置側基板２は、第１ねじ部材５によってフレーム４に連結されている。フレーム４は、第２ねじ部材６によって底キャビネット３に連結されている。再生装置側基板２には、リセクタブルコネクタ７が搭載される。
【０００４】
図１６は、再生装置１と充電装置８とが分離されている状態を示す斜視図である。図１７は、再生装置１と充電装置８とが分離されている状態において、充電装置８の一部を切り欠いて示す側面図である。図１８は、再生装置１が充電装置８に装着されている状態を示す斜視図である。図１９は、再生装置１が充電装置８に装着されている状態において、充電装置８の一部を切り欠いて示す側面図である。充電装置８は、再生装置１を支持するセットガイド９と、再生装置１のリセクタブルコネクタ７に電気的に接続可能なプラグコネクタ１０と、プラグコネクタ１０および充電装置８の制御回路を搭載する充電装置側基板１１と、充電装置８の筐体を構成する上キャビネット１２と下キャビネット１３とを含む。充電装置側基板１１は、第３ねじ部材１３によって上キャビネット１２に連結されている。
【０００５】
図２０は、再生装置１と充電装置８とが分離されている状態において、再生装置１の一部を切り欠いてリセクタブルコネクタ７と充電装置８の一部を切り欠いてプラグコネクタ１０とを拡大して示す図である。図２１は、再生装置１と充電装置８とが分離されている状態において、再生装置１の一部を切り欠くとともにリセクタブルコネクタ７を切り欠いて拡大して示す図である。再生装置１のリセクタブルコネクタ７は、筐体部１５、接続部１６、ばね部材１７および蓋部材１８を含んで構成される。筐体部１５は、直方体状であって一方向に開放する収容空間が内部に形成され、さらに一側面部には、再生装置１の外部空間と前記収容空間とを連通する長方形状の２つのガイド孔１９が形成される。接続部１６は、筐体部１５の収容空間に臨んで筐体部１５の内側に設けられ、充電装置８のプラグコネクタ１０に電気的に接続される。ばね部材１７は、圧縮コイルばねで実現され、一対のばね部材１６が筐体部１５の収容空間に収容され、各ばね部材１６の一端部が筐体部１５に連結される。蓋部材１８は、大略的に長方形状の板材であって、各ばね部材１７の他端部に連結され、筐体部１５の収容空間を閉鎖するように配置可能である。また蓋部材１８には、筐体部１５のガイド孔１９に嵌合可能な一対のガイドリブ１８ａが形成され、ガイドリブ１８ａがガイド孔１９に嵌合されて、蓋部材１８は、ばね部材１７が伸縮する方向に変位可能となる。
【０００６】
図２２〜図２４は、再生装置１を充電装置８に装着するときの、リセクタブルコネクタ７を切り欠いて拡大して示すとともにプラグコネクタ１０を拡大して順に示す断面図である。図２５は、再生装置１と充電装置８とが分離されている状態において、再生装置１のリセクタブルコネクタ７を切り欠いて拡大して示すとともにプラグコネクタ１０を拡大して示す断面図である。図２６は、再生装置１が充電装置８に装着されている状態において、再生装置１のリセクタブルコネクタ７を切り欠いて拡大して示すとともにプラグコネクタ１０を拡大して示す断面図である。
【０００７】
図２２および図２５に示すように、再生装置１と充電装置８とが完全に分離している状態では、リセクタブルコネクタ７のばね部材１７は伸長しており、蓋部材１８は筐体部１５の収容空間を閉鎖するとともに、接続部１６が収容空間の外側の外部空間に露出しないような位置に配置されている。図２３に示すように、充電装置８のプラグコネクタ１０が、再生装置１の底キャビネット３に設けられる挿通孔３ａに挿通されて、プラグコネクタ１０の先端部がリセクタブルコネクタ７の蓋部材１８に当接する。この状態でプラグコネクタ１０をリセクタブルコネクタ７の収容空間に挿入していくと、図２４および図２６に示すように、ばね部材１７が縮退して、接続部１６が外部空間に露出して、接続部１６とプラグコネクタ１０とが電気的に接続される。
【０００８】
【特許文献１】特開２００１−５２７６１号公報
【発明の開示】
【発明が解決しようとする課題】
【０００９】
図２６に示すように、リセクタブルコネクタ７の接続部１６とプラグコネクタ１０とが電気的に接続されている状態では、ばね部材１７が圧縮されており、伸長しようとするばね力が蓋部材１８を介してプラグコネクタ１０の先端部に付勢される。このようなばね力によって、プラグコネクタ１０がリセクタブルコネクタ７から離れようとして、プラグコネクタ１０とリセクタブルコネクタ７の接続部１６との電気的な接続状態が不安定になる危険性がある。またリセクタブルコネクタ７は、プラグコネクタ１０を収容空間に収容する必要があるために筐体部１５が大形化してしまい、リセクタブルコネクタ７自体も大形になってしまう。
【００１０】
本発明の目的は、電子機器に内蔵される電子機器側接続端子を小形化するとともに、電子機器側接続端子と外部接続端子との電気的な接続を安定にすることができるシャッタ機構を提供することである。
【課題を解決するための手段】
【００１１】
本発明は、電子機器に内蔵される電子機器側接続端子を、電子機器の外部空間に対して露出および遮蔽するシャッタ機構であって、
電子機器側接続端子を前記外部空間から遮蔽する遮蔽位置と、電子機器側接続端子を前記外部空間に露出する露出位置とにわたって電子機器に角変位可能に設けられるシャッタ部材と、
シャッタ部材を露出位置から遮蔽位置に向かう方向に角変位力を付勢して、シャッタ部材を遮蔽位置に配置させるばね部材とを含み、
電子機器とは別体に設けられ電子機器側接続端子に電気的に接続可能な外部接続端子がシャッタ部材に当接して、外部接続端子が電子機器内に向かう予め定める挿入方向に変位されると、ばね部材の角変位力に抗する逆方向の力が外部接続端子から遮蔽位置に配置されているシャッタ部材に付勢されて、シャッタ部材が遮蔽位置から露出位置に角変位して、外部接続端子が電子機器内部に挿入されて電子機器側接続端子に電気的に接続されることを特徴とするシャッタ機構である。
【００１２】
また本発明は、前記シャッタ部材の外部接続端子に当接する部分は、前記挿入方向に垂直な仮想平面に対して傾斜していることを特徴とする。
【発明の効果】
【００１３】
本発明によれば、電子機器に内蔵される電子機器側接続端子を、電子機器の外部空間に露出および前記外部空間から遮蔽するシャッタ機構である。シャッタ機構は、シャッタ部材およびばね部材を含む。シャッタ部材は、電子機器側接続端子を前記外部空間から遮蔽する遮蔽位置と、電子機器側接続端子を前記外部空間に露出する露出位置とにわたって電子機器に角変位可能に設けられる。ばね部材は、シャッタ部材を露出位置から遮蔽位置に向かう方向に角変位力を付勢して、シャッタ部材を遮蔽位置に配置させる。電子機器とは別体に設けられ電子機器側接続端子に電気的に接続可能な外部接続端子がシャッタ部材に当接して、外部接続端子が電子機器内に向かう予め定める挿入方向に変位されると、ばね部材の角変位力に抗する逆方向の力が外部接続端子から遮蔽位置に配置されているシャッタ部材に付勢されて、シャッタ部材が遮蔽位置から露出位置に角変位して、外部接続端子が電子機器内部に挿入されて電子機器側接続端子に電気的に接続される。たとえば背景技術のような前記挿入方向および前記挿入方向とは逆方向に変位するようなシャッタ部材と、前記シャッタ部材を前記挿入方向逆方向にばね力を付勢するばね部材とを含むような場合、外部接続端子を電子機器側接続端子に接続するために、外部接続端子をシャッタ部材に当接して挿入方向に変位させようとすると、ばね部材によって挿入方向への変位を阻止するようなばね力が付勢される。これによって外部接続端子と電子機器側接続端子との電気的な接続を阻害する危険性がある。本発明では、シャッタ部材は、電子機器側接続端子を前記外部空間から遮蔽する遮蔽位置と、電子機器側接続端子を前記外部空間に露出する露出位置とにわたって電子機器に角変位可能に設けられるので、背景技術のように外部接続端子が電子機器側接続端子に電気的に接続しようとすることを阻害するようなことを防止できる。さらにシャッタ部材が遮蔽位置に配置されるとき、電子機器側接続端子は外部空間に露出しないので、電子機器側接続端子の防塵対策に貢献して、埃および塵などが電子機器側接続端子に付着して、電子機器側接続端子と外部接続端子との電気的な接続が不良となってしまうことを可及的確実に防止することができる。また電子機器側接続端子は、背景技術のような筐体部にばね部材を収納する必要がないので、電子機器側接続端子を小形化することができる。
【００１４】
また本発明によれば、前記シャッタ部材の外部接続端子に当接する部分は、前記挿入方向に垂直な仮想平面に対して傾斜している。これによって外部接続端子がシャッタ部材に当接して前記挿入方向に変位するときに、シャッタ部材の外部接続端子に当接する部分は、外部接続端子から受ける力には、挿入方向に垂直な方向の分力が含まれるので、シャッタ部材の外部接続端子に当接する部分は、このような挿入方向に垂直な方向に変位して、シャッタ部材全体としては遮蔽位置から露出位置に向けて容易に角変位することができる。
【発明を実施するための最良の形態】
【００１５】
図１は、本発明の実施の一形態のシャッタ機構を搭載する再生装置２０を示す斜視図である。図２は、再生装置２０の一部を分解して示す斜視図である。電子機器である再生装置２０は、たとえばミニディスクなどの記録媒体を再生する電子機器であり、記録媒体を再生する再生手段および再生手段を駆動するための電源である充電池（ともに図示せず）を含む。再生装置２０は、再生手段を構成する制御回路が搭載される再生装置側基板２１、ならびに再生装置２０の筐体を構成する底キャビネット２２ならびにフレーム２３およびシャッタ機構２４を含む。再生装置側基板２１は、第１ねじ部材２５によってフレーム２３に連結されている。フレーム２３は、第２ねじ部材２６によって底キャビネット２２に連結されている。再生装置側基板２１には、電子機器側接続端子であるリセクタブルコネクタ２７が搭載される。
【００１６】
シャッタ機構２４は、再生装置２０に内蔵されるリセクタブルコネクタ２７を、再生装置２０の外部空間に対して露出および遮蔽する。シャッタ機構２４は、シャッタ部材２８、ばね部材２９、第１カシメピン３０および第２カシメピン３１を含んで構成される。シャッタ部材２８は、第１側部３２、第２側部３３および蓋部３４を含む。第１側部３２は、板状に形成され、一端部に厚み方向に貫通する円形の第１貫通孔３５が形成される。第２側部３３は、板状に形成され、一端部に厚み方向に貫通する円形の第２貫通孔３６が形成される。蓋部３４は、長方形状の板状に形成され、その一端部が第１側部３２の長手方向に交差して第１側部３２の他端部に固定され、その他端部が第２側部３２の長手方向に交差して第２側部３３の他端部に固定される。シャッタ部材２８において、第１側部３２と第２側部３３とは平行に配置され、第１貫通孔３５の軸線と第２貫通孔３６の軸線とは同軸である。このようにシャッタ部材２８は、「コ」の字形状である。
【００１７】
ばね部材２９は、たとえばねじりコイルばねで実現される。フレーム２３における略長方形状に形成される第１側部２３ａには、厚み方向に貫通し、第１カシメピン３０が挿通可能な円形の第１挿通孔３７が形成される。フレーム２３の第１側部２３ａの一端部に、第１側部２３ａに直交して連結し、板状に形成されるフレーム２３の第２側部２３ｂには、再生装置２０の内方に突出する板状の支持部２３ｃが形成される。フレーム２３の第２側部２３ｂの支持部２３ｃは、フレーム２３の第１側部２３ａとは間隔をあけて互いに平行に向かい合って配置される。支持部２３ｃには、厚み方向に貫通し、第２カシメピン３１を挿通可能な円形の第２挿通孔３８が形成される。第１挿通孔３７の軸線と第２挿通孔３８の軸線とは同軸である。
【００１８】
第１カシメピン３０および第２カシメピン３１は、ともに同形状であって、大略的に円柱形であって、その一端部には残余の部分よりも拡径する皿部を有する。第１カシメピン３０および第２カシメピン３１の一端部を除く残余の部分の外径は、ばね部材２９、第１貫通孔３５、第２貫通孔３６、第１挿通孔３７および第２挿通孔３８の内径よりも、わずかに小さく設定される。第１カシメピン３０は、ばね部材２９、シャッタ部材２８の第１貫通孔３５および第１挿通孔３７の順に挿通されて、第１挿通孔３７の近傍で残余の部分よりも拡径するようにかしめられて、シャッタ部材２８の第１側部３２が、ばね部材２９を介して第１カシメピン３０の軸線まわりに角変位可能に、また第１カシメピン３０の軸線方向に変位を規制されてフレーム２３の第１側部２３ａに連結される。第２カシメピン３１は、シャッタ部材２８の第２貫通孔３６および第２挿通孔３８の順に挿通されて、第２挿通孔３８の近傍で残余の部分よりも拡径するようにかしめられて、シャッタ部材２８の第２側部３２が、第２カシメピン３１の軸線まわりに角変位可能に、また第２カシメピン３１の軸線方向に変位を規制されてフレーム２３の支持部２３ｃに連結される。このようにしてシャッタ部材２８はフレーム２３に対して角変位可能に連結される。シャッタ部材２８には、各カシメピン３０，３１まわりの予め定める方向へのばね力がばね部材２９から付勢されている。また底キャビネット２２には、シャッタ部材２８の蓋部２８ｃに臨む箇所には、厚み方向に貫通し、後述するプラグコネクタ４２を挿通可能な長方形状の挿入孔３９が形成される。
【００１９】
図３は、再生装置２０と充電装置４０とが分離されている状態を示す斜視図である。図４は、再生装置２０と充電装置４０とが分離されている状態において、充電装置４０の一部を切り欠いて示す側面図である。図５は、再生装置２０が充電装置４０に装着されている状態を示す斜視図である。図６は、再生装置２０が充電装置４０に装着されている状態において、充電装置４０の一部を切り欠いて示す側面図である。充電装置４０は、再生装置２０を支持するセットガイド４１と、再生装置２０のリセクタブルコネクタ２７に電気的に接続可能な外部接続端子であるプラグコネクタ４２と、プラグコネクタ４２および充電装置４０の制御回路を搭載する充電装置側基板４３と、充電装置４０の筐体を構成する上キャビネット４４と下キャビネット４５とを含む。充電装置側基板４３は、充電装置４０に内蔵され、第３ねじ部材４６によって上キャビネット４４に連結される。図５および図６に示すように再生装置２０が充電装置４０に装着されると、再生装置２０のリセクタブルコネクタ２７と充電装置４０のプラグコネクタ４２とが電気的に接続されて、再生装置２０に内蔵される充電池を充電可能な状態となる。
【００２０】
図７は、再生装置２０と充電装置４０とが分離されている状態において、再生装置２０および充電装置４０の一部を切り欠いて、リセクタブルコネクタ２７およびプラグコネクタ４２付近を拡大して示す正面図である。図８は、再生装置２０と充電装置４０とが分離されている状態において、再生装置２０のおよび充電装置４０の一部を切り欠いて、リセクタブルコネクタ２７およびプラグコネクタ４２付近を拡大して示す側面図である。図８に示す状態では、シャッタ部材２８は、ばね部材２９から各カシメピン３０，３１の軸線Ｌ１まわりの予め定める方向である第１方向Ａ１にばね力が付勢されて、リセクタブルコネクタ２７が再生装置２０の外部空間から遮蔽される遮蔽位置に配置される。シャッタ部材２８に各カシメピン３０，３１の軸線である角変位軸線Ｌ１まわりの第１方向Ａ１とは逆の第２方向Ａ２にばね部材２９のばね力に抗する外力が付勢されると、シャッタ部材２８は遮蔽位置から第２方向Ａ２に角変位して、リセクタブルコネクタ２７が再生装置２０の外部空間に露出する露出位置に配置される。遮蔽位置に配置されるシャッタ部材２８の蓋部２８ｃは、再生装置２０の外部空間から再生装置２０の内部に向かう予め定めるプラグコネクタ４２の挿入方向Ｂに垂直な仮想平面に対して傾斜している。
【００２１】
図９〜図１３は、再生装置２０を充電装置４０に装着するときの、再生装置２０のおよび充電装置４０の一部を切り欠いて、リセクタブルコネクタ２７およびプラグコネクタ４２付近を拡大して順を追って示す断面図である。図９は、再生装置２０と充電装置４０とが分離されている状態を示す断面図である。このときシャッタ部材２８は、遮蔽位置に配置されており、再生装置２０の底キャビネット２２の挿入孔３９を大略的に塞いでいる。これによって再生装置２０のリセクタブルコネクタ２７は、再生装置２０の外部空間から遮蔽される。
【００２２】
図１０は、プラグコネクタ４２が挿入方向Ｂに変位して、再生装置２０の挿通孔３９に挿通されて、プラグコネクタ４２の先端部がシャッタ部材２８の蓋部２８ｃに当接している状態を示す断面図である。前述のように、遮蔽位置に配置されるシャッタ部材２８の蓋部２８ｃは、プラグコネクタ４２の挿入方向Ｂに垂直な仮想平面に対して傾斜しているので、シャッタ部材２８の蓋部２８ｃには、プラグコネクタ４２から挿入方向Ｂに垂直な方向の分力を有する力が働き、前記分力は、シャッタ部材２８を角変位軸線Ｌ１まわりに第２方向Ａ２に容易に角変位させることができる方向を向いている。
【００２３】
図１１は、プラグコネクタ４２がさらに挿入方向Ｂに変位して、プラグコネクタ４２の先端部がシャッタ部材２８の蓋部２８ｃを押圧して、シャッタ部材２８が遮蔽位置から角変位軸線Ｌ１まわりに第２方向Ｂ２にわずかに角変位している状態を示す断面図である。プラグコネクタ４２の先端部がシャッタ部材２８の蓋部２８ｃを挿入方向Ｂに押圧することによって、シャッタ部材２８の蓋部２８ｃには、プラグコネクタ４２から前述の挿入方向Ｂに垂直な方向の分力を有する力が働き、この分力によるモーメントがシャッタ部材２８に付勢されるばね部材２９からのばね力によるモーメントよりも大きくなり、シャッタ部材２８は角変位軸線Ｌ１まわりに第２方向Ａ２に容易に角変位する。
【００２４】
図１２は、プラグコネクタ４２がさらに挿入方向Ｂに変位して、先端部がリセクタブルコネクタ２７に挿入されて、シャッタ部材２８が露出位置に配置されている状態を示す断面図である。プラグコネクタ４２の先端部がシャッタ部材２８の蓋部２８ｃを挿入方向Ｂにさらに押圧して、シャッタ部材２８が角変位軸線Ｌ１まわりに第２方向Ａ２にさらに角変位すると、シャッタ部材２８は露出位置に配置される。この状態でプラグコネクタ４２がさらに挿入方向Ｂに変位すると、プラグコネクタ４２の先端部は、リセクタブルコネクタ２７に挿入される。
【００２５】
図１３は、プラグコネクタ４２がさらに挿入方向Ｂに変位して、リセクタブルコネクタ２７に完全に挿入されている状態を示す断面図である。プラグコネクタ４２がリセクタブルコネクタ２７に完全に挿入されると、プラグコネクタ４２とリセクタブルコネクタ２７とは電気的に接続される。
【００２６】
以上のように本実施の形態のシャッタ機構によれば、シャッタ機構２４のシャッタ部材は、リセクタブルコネクタ２７を前記外部空間から遮蔽する遮蔽位置と、リセクタブルコネクタ２７を前記外部空間に露出する露出位置とにわたって再生装置２０に角変位可能に設けられる。シャッタ機構２０のばね部材２９は、シャッタ部材２４を露出位置から遮蔽位置に向かう方向に角変位力を付勢して、シャッタ部材２４を遮蔽位置に配置させる。再生装置２０とは別体に設けられリセクタブルコネクタ２７に電気的に接続可能な充電装置４０のプラグコネクタ４２の先端部がシャッタ部材２４に当接して、プラグコネクタ４２が再生装置２０内部に向かう予め定める挿入方向Ｂに変位されると、ばね部材２９の角変位力に抗する逆方向の力がプラグコネクタ４２から遮蔽位置に配置されているシャッタ部材２４に付勢されて、シャッタ部材２４が遮蔽位置から露出位置に角変位して、プラグコネクタ４２が再生装置２０内部に挿入されてリセクタブルコネクタ２７に電気的に接続される。たとえば背景技術のような再生装置１において、前記挿入方向および前記挿入方向とは逆方向に変位するような蓋部材１８と、前記蓋部材１８を前記挿入方向逆方向にばね力を付勢するばね部材１７とを含むような場合、プラグコネクタ１０をリセクタブルコネクタ７に接続するために、プラグコネクタ１０を蓋部材１８に当接して挿入方向に変位させようとすると、ばね部材１７によって挿入方向への変位を阻止するようなばね力が付勢される。これによってプラグコネクタ１０とリセクタブルコネクタ７との電気的な接続を阻害する危険性がある。本実施の形態のシャッタ機構２４では、シャッタ部材２８は、リセクタブルコネクタ２７を再生装置２０の外部空間から遮蔽する遮蔽位置と、リセクタブルコネクタ２７を前記外部空間に露出する露出位置とにわたって再生装置２０に角変位可能に設けられるので、背景技術のように充電装置４０のプラグコネクタ４２が再生装置２０のリセクタブルコネクタ２７に電気的に接続しようとすることを阻害するようなことを防止できる。さらにシャッタ部材２８が遮蔽位置に配置されるとき、リセクタブルコネクタ２７は再生装置２０の外部空間に露出しないので、リセクタブルコネクタ２７の防塵対策に貢献して、埃および塵などがリセクタブルコネクタ２７に付着して、リセクタブルコネクタ２７と充電装置４０のプラグコネクタ４２との電気的な接続が不良となってしまうことを可及的確実に防止することができる。また本実施の形態のシャッタ機構２４によってリセクタブルコネクタ２７は、背景技術におけるリセクタブルコネクタ７ような筐体部１５にばね部材１７を収納する必要がないので、リセクタブルコネクタ２７を小形化することができる。
【００２７】
また本実施の形態のシャッタ機構２４によれば、充電装置４０のプラグコネクタ４２に当接するシャッタ部材２４の蓋部２４ｃは、挿入方向Ｂに垂直な仮想平面に対して傾斜している。これによってプラグコネクタ４２がシャッタ部材２４の蓋部２４ｃに当接して挿入方向Ｂに変位するときに、シャッタ部材２４の蓋部２４ｃは、プラグコネクタ４２から受ける力には、挿入方向Ｂに垂直な方向の分力が含まれるので、シャッタ部材２４の蓋部２４ｃは、このような挿入方向Ｂに垂直な方向に変位して、シャッタ部材２４全体としては遮蔽位置から露出位置に向けて容易に角変位することができる。
【図面の簡単な説明】
【００２８】
【図１】本発明の実施の一形態のシャッタ機構を搭載する再生装置２０を示す斜視図である。
【図２】再生装置２０の一部を分解して示す斜視図である。
【図３】再生装置２０と充電装置４０とが分離されている状態を示す斜視図である。
【図４】再生装置２０と充電装置４０とが分離されている状態において、充電装置４０の一部を切り欠いて示す側面図である。
【図５】再生装置２０が充電装置４０に装着されている状態を示す斜視図である。
【図６】再生装置２０が充電装置４０に装着されている状態において、充電装置４０の一部を切り欠いて示す側面図である。
【図７】再生装置２０と充電装置４０とが分離されている状態において、再生装置２０および充電装置４０の一部を切り欠いて、リセクタブルコネクタ２７およびプラグコネクタ４２付近を拡大して示す正面図である。
【図８】再生装置２０と充電装置４０とが分離されている状態において、再生装置２０および充電装置４０の一部を切り欠いて、リセクタブルコネクタ２７およびプラグコネクタ４２付近を拡大して示す側面図である。
【図９】再生装置２０と充電装置４０とが分離されている状態を示す断面図である。
【図１０】プラグコネクタ４２が挿入方向Ｂに変位して、再生装置２０の挿通孔３９に挿通されて、プラグコネクタ４２の先端部がシャッタ部材２８の蓋部２８ｃに当接している状態を示す断面図である。
【図１１】プラグコネクタ４２がさらに挿入方向Ｂに変位して、プラグコネクタ４２の先端部がシャッタ部材２８の蓋部２８ｃを押圧して、シャッタ部材２８が遮蔽位置から角変位軸線Ｌ１まわりに第２方向Ｂ２にわずかに角変位している状態を示す断面図である。
【図１２】プラグコネクタ４２がさらに挿入方向Ｂに変位して、先端部がリセクタブルコネクタ２７に挿入されて、シャッタ部材２８が露出位置に配置されている状態を示す断面図である。
【図１３】プラグコネクタ４２がさらに挿入方向Ｂに変位して、リセクタブルコネクタ２７に完全に挿入されている状態を示す断面図である。
【図１４】端子が外部空間に露出していない再生装置１を示す斜視図である。
【図１５】再生装置１の一部を分解して示す斜視図である。
【図１６】再生装置１と充電装置８とが分離されている状態を示す斜視図である。
【図１７】再生装置１と充電装置８とが分離されている状態において、充電装置８の一部を切り欠いて示す側面図である。
【図１８】再生装置１が充電装置８に装着されている状態を示す斜視図である。
【図１９】再生装置１が充電装置８に装着されている状態において、充電装置８の一部を切り欠いて示す側面図である。
【図２０】再生装置１と充電装置８とが分離されている状態において、再生装置１の一部を切り欠いてリセクタブルコネクタ７と充電装置８の一部を切り欠いてプラグコネクタ１０とを拡大して示す図である。
【００２９】
【図２１】再生装置１と充電装置８とが分離されている状態において、再生装置１の一部を切り欠くとともにリセクタブルコネクタ７を切り欠いて拡大して示す図である。
【図２２】再生装置１を充電装置８に装着するときの、リセクタブルコネクタ７を切り欠いて拡大して示すとともにプラグコネクタ１０を拡大して順に示す断面図である。
【図２３】再生装置１を充電装置８に装着するときの、リセクタブルコネクタ７を切り欠いて拡大して示すとともにプラグコネクタ１０を拡大して順に示す断面図である。
【図２４】再生装置１を充電装置８に装着するときの、リセクタブルコネクタ７を切り欠いて拡大して示すとともにプラグコネクタ１０を拡大して順に示す断面図である。
【図２５】再生装置１と充電装置８とが分離されている状態において、再生装置１のリセクタブルコネクタ７を切り欠いて拡大して示すとともにプラグコネクタ１０を拡大して示す断面図である。
【図２６】再生装置１が充電装置８に装着されている状態において、再生装置１のリセクタブルコネクタ７を切り欠いて拡大して示すとともにプラグコネクタ１０を拡大して示す断面図である。
【符号の説明】
【００３０】
２０  再生装置
２４  シャッタ機構
２７  リセクタブルコネクタ
２８  シャッタ部材
２９  ばね部材
３４  蓋部
４２  プラグコネクタ
【図１】
2005302496.tif 000003
【図２】
2005302496.tif 000004
【図３】
2005302496.tif 000005
【図４】
2005302496.tif 000006
【図５】
2005302496.tif 000007
【図６】
2005302496.tif 000008
【図７】
2005302496.tif 000009
【図８】
2005302496.tif 000010
【図９】
2005302496.tif 000011
【図１０】
2005302496.tif 000012
【図１１】
2005302496.tif 000013
【図１２】
2005302496.tif 000014
【図１３】
2005302496.tif 000015
【図１４】
2005302496.tif 000016
【図１５】
2005302496.tif 000017
【図１６】
2005302496.tif 000018
【図１７】
2005302496.tif 000019
【図１８】
2005302496.tif 000020
【図１９】
2005302496.tif 000021
【図２０】
2005302496.tif 000022
【図２１】
2005302496.tif 000023
【図２２】
2005302496.tif 000024
【図２３】
2005302496.tif 000025
【図２４】
2005302496.tif 000026
【図２５】
2005302496.tif 000027
【図２６】
2005302496.tif 000028